(57)【要約】【課題】構造が簡単でありながら、地震等の非常時にも、ルーバーパネルがランアー枠から脱落し落下することのない、信頼性に優れたルーバー天井用の落下防止具を提供する。【解決手段】ランナー枠１に装着固定されるクリップ１０と、一端がクリップ１０に接続される撚り線ワイヤからなる線材１１とで落下防止具を構成する。クリップ１０は、一対の弾性脚１４と上壁１５とを一体に備えた、金属板ばね製のクリップ本体１２と操作腕１３で構成する。弾性脚１４には、クリップ本体１２の差込限界を規定するストッパー片１７とスパイク片１８を設ける。クリップ１０をランナー枠１の縦壁４に挟持固定し、線材１１をルーバーパネル２に接続し、その輪奈端２６をかしめスリーブ２５で固定する。以て、ランナー枠１から脱落したルーバーパネル２を線材１１で確保し、その落下を防ぐ。【選択図】　　　　図１
2004076502.tif 000002
【特許請求の範囲】
【請求項１】
格子状に組まれるランナー枠１と、ランナー枠１のベース壁３に載置されるルーバーパネル２とを含むルーバー天井に適用される落下防止具であって、
ランナー枠１に装着されるクリップ１０と、一端がクリップ１０に接続される線材１１とを含み、
クリップ１０は、ランナー枠１の任意の壁に挟持装着される一対の弾性脚１４を備えたクリップ本体１２と、クリップ本体１２に設けられて、両弾性脚１４を拡開操作する操作腕１３とを有し、
クリップ１０から導出した線材１１をルーバーパネル２に接続して、ルーバーパネル２を落下不能に拘束できるルーバー天井用の落下防止具。
【請求項２】
クリップ本体１２が、金属板ばねを素材とするプレス金具で構成されており、
弾性脚１４の面壁に、クリップ１０の差込限界を規定するストッパー爪１７と、クリップ１０の抜け出しを阻止するスパイク片１８とが形成されており、
ストッパー爪１７の折り曲げに伴って弾性脚１４に形成される開口２０から線材１１が導出してある請求項１記載のルーバー天井用の落下防止具。
【請求項３】
クリップ本体１２と線材１１とが、線材１１の一端に固定したエンド金具２４で接続されており、
ストッパー爪１７と上壁１５との間にエンド金具２４を収容する空間Ｓが形成してある請求項１または２記載のルーバー天井用の落下防止具。
【請求項４】
線材１１が屈曲自在な撚り線ワイヤーで形成されており、
ルーバーパネル２のルーバー板８に巻き掛けた線材１１の輪奈端２６が、線材１１に組み付けたかしめスリーブ２５で固定してある請求項１、２または３記載のルーバー天井用の落下防止具。
【発明の詳細な説明】
【０００１】
【発明の属する技術分野】
この発明は、ルーバー天井を構成するルーバーパネルが、地震の際や他物との衝突衝撃などによってランナー枠から脱落し、落下するのを防止するための落下防止具に関する。
【０００２】
【従来の技術】
図５に示すようにルーバー天井は、格子状に組まれる逆Ｔ字状のランナー枠３０と、ランナー枠３０のベース壁３１に載置されるルーバーパネル３２とで構成してある。この種のルーバー天井は、ルーバーパネル３２がランナー枠３０に対して単に載置してあるに過ぎないので、地震の際や、ルーバーパネル３２の下面に他物が衝突するような場合に、ルーバーパネル３２がランナー枠３０から脱落し落下することがある。こうしたルーバーパネル３２の落下を防ぐために落下防止具が使用される。例えば実公平２−１７６７号公報においては、落下防止具３３をルーバーパネル３２のルーバー板３４に差し込み係合したうえで、そのフック部３５をランナー枠３０の上縁に引っ掛けて、ルーバーパネル３２がランナー枠３０から落下するのを防止している。落下防止具３３は、ばね線材を正面視でハット形に折り曲げて形成してあり、コ字状の掛止腕３６と、掛止腕３６の下端両側に張り出される一対の脚片３７を有し、さらに掛止腕３６の上部を側面から見て鉤形に折り曲げて形成したフック部３５を備えている。
【０００３】
【発明が解決しようとする課題】
上記の落下防止具は、構造が簡単であるうえ、ランナー枠に対するフック部の係脱を簡単に行える。問題は、フック部がランナー枠に対して単に引っ掛けてあるにすぎないため、地震の際など、ルーバーパネルに上向きの外力が作用するとき、フック部がランナー枠から簡単に外れてルーバーパネルが落下し、ルーバー天井の下方の歩行者を負傷させ、あるいは物損を招くことがある。
【０００４】
この発明の目的は、構造が簡単でありながら、地震等の非常時にもルーバーパネルが落下することのない、信頼性に優れたルーバー天井の落下防止具を提供することにある。
【０００５】
【課題を解決するための手段】
この発明の落下防止具は、格子状に組まれるランナー枠１と、ランナー枠１のベース壁３に載置されるルーバーパネル２とを含むルーバー天井に適用する。落下防止具は、ランナー枠１に装着されるクリップ１０と、一端がクリップ１０に接続される線材１１とを含む。クリップ１０は、ランナー枠１の任意の壁に挟持装着される一対の弾性脚１４を備えたクリップ本体１２と、クリップ本体１２に設けられて、両弾性脚１４を拡開操作する操作腕１３とを有する。以て、クリップ１０から導出した線材１１をルーバーパネル２に接続して、ルーバーパネル２を落下不能に拘束できることを特徴とする。
【０００６】
具体的には、クリップ本体１２は、金属板ばねを素材とするプレス金具で構成する。弾性脚１４の面壁に、クリップ１０の差込限界を規定するストッパー爪１７と、クリップ１０の抜け出しを阻止するスパイク片１８とを形成する。ストッパー爪１７の折り曲げに伴って弾性脚１４に形成される開口２０から線材１１を導出する。
【０００７】
クリップ本体１２と線材１１とは、線材１１の一端に固定したエンド金具２４で接続する。ストッパー爪１７と上壁１５との間にエンド金具２４を収容する空間Ｓを形成する。
【０００８】
線材１１は屈曲自在な撚り線ワイヤーで形成する。ルーバーパネル２のルーバー板８に巻き掛けた線材１１の輪奈端２６を、線材１１に組み付けたかしめスリーブ２５で固定して、クリップ１０とルーバーパネル２とを接続する。
【０００９】
【発明の作用効果】
この発明では、ランナー枠１に装着されるクリップ１０と、一端がクリップ１０に接続される線材１１とで落下防止具を構成し、クリップ１０から導出した線材１１でルーバーパネル２を拘束することにより、ランナー枠１から脱落したルーバーパネル２を線材１１で落下不能に確保できるようにした。従ってこの発明によれば、地震等によって、ルーバーパネル２に強烈な外力が作用する場合であっても、ルーバーパネル２がランナー枠１から脱落し落下するのを確実に防止できる落下防止具が得られ、その信頼性を向上して、落下するルーバーパネル２による人身事故や物損を一掃できる。
【００１０】
また、一対の弾性脚１４の弾性によってクリップ本体１２をランナー枠１に挟持固定するので、ルーバーパネル２に上向きの外力が作用する場合であっても、クリップ本体１２が縦壁４から抜け出すのを防止して、クリップ１０がランナー枠１から外れるのを確実に阻止できる。操作腕１３は、一対の弾性脚１４をクリップ本体１２の弾性に抗して簡単に拡開操作するために設けてある。１個のクリップ１０と線材１１で落下防止具を構成するので、ルーバーパネル２の落下防止のための構造を簡素化してその製造に要するコストを削減できる。
【００１１】
弾性脚１４の面壁にストッパー爪１７を設けると、クリップ本体１２のランナー枠一に対する差込限界を常に適正に規定できるうえ、ストッパー爪１７を折り曲げた後の開口２０を利用して線材１１を導出できるので、構造の無駄がなく、その分だけクリップ本体１２の加工の手間を省くことができる。弾性脚１４の面壁にスパイク片１８を設けると、スパイク片１８と縦壁４との間により大きな摩擦抵抗を生じさせることができるので、ルーバーパネル２に上向きの強い外力が作用する場合であっても、クリップ１０が縦壁４から脱落するのをさらに確実に防止できる。
【００１２】
クリップ本体１２と線材１１とを線材１１の一端に固定したエンド金具２４を介して接続すると、クリップ本体１２をランナー枠１に装着した後、線材１１をルーバーパネル２に接続するだけで落下防止具を取り付けることができ、一連の作業に要する手間を軽減できる。ストッパー爪１７と上壁１５との間にエンド金具２４を収容する空間Ｓを形成すると、クリップ本体１２を縦壁４に装着した状態において、エンド金具２４や線材１１がクリップ本体１２の上壁１５と縦壁４とで挟持されるのを避けることができ、線材１１の繰出し方向に向かってエンド金具２４を自由に追随変位させることができる。
【００１３】
屈曲自在な撚り線ワイヤーで線材１１を形成すると、線材１１のルーバー板８に対する巻き掛け操作を簡便に行える。また、輪奈端２６をかしめスリーブ２５で固定する線材１１の接続構造によれば、施工後長い期間が経過した後にでも、輪奈端２６の固定状態を確実に維持でき、落下防止具の信頼性を向上できる。線材１１の長さを適量にしておけば、ルーバーパネル２を持ち上げてランナー枠１から外すだけで作業用の開口を確保できるので、照明器具の交換や清掃等の保守作業を簡便に行える。
【００１４】
【実施例】
図１ないし図３は、この発明に係る落下防止具の実施例を示す。図２においてルーバー天井は、格子状に組まれる縦横のランナー枠１と、ランナー枠１に載置されるルーバーパネル２とで構成されており、図示していない照明器具の下方に配置してある。図２に示すようにランナー枠１は、左右一対のベース壁３・３と、縦壁４とを一体に形成した、断面が逆Ｔ字状のアルミニウム条材からなり、ベース壁３の上面にルーバーパネル２が載置される。ランナー枠１は各枠の交差部分においてジョイント金具で接続してあり、ルーバー天井の上方の天井壁に取り付けた吊りボルト５と、縦壁４に固定したハンガー６とで吊り下げ支持してある。縦壁４の上端には、ハンガー６を係止するためのリブ７が横向きに突設してある（図１参照）。
【００１５】
ルーバーパネル２は、断面Ｕ状のルーバー板８を格子状に組んで四角形状に形成してあり、縦横のルーバー板８は、両者の交差部分において互いに上下に係合し合って全体形状を維持している。パネル周縁に位置するルーバー板８の端部が先のベース壁３で受け止められる。
【００１６】
ランナー枠１に載置したルーバーパネル２の落下を防ぐために落下防止具を設けている。図１および図３において、落下防止具は、ランナー枠１に装着されるクリップ１０と、一端がクリップ１０に接続される線材１１とで構成してあり、ランナー枠１に固定したクリップ１０とルーバーパネル２とを線材１１で連結して、ルーバーパネル２を落下不能に拘束する。
【００１７】
図１および図３に示すように、クリップ１０は、断面逆三角形状のクリップ本体１２と、クリップ本体１２の左右側面に装着される一対の操作腕１３とで構成する。クリップ本体１２は、左右一対の弾性脚１４と、弾性脚１４の上端どうしを繋ぐ上壁１５とを一体に備えた、ばね板材を素材とするプレス金具からなる。
一対の弾性脚１４は、互いに接近する向きに弾性力を発揮でき、自由状態においては、図３に示すように弾性脚１４の下端に設けた差し込み始端どうしが密着している。縦壁４に対する差し込み係合操作を容易化するために、差し込み始端はそれぞれ外向きにカールしてあり、このカール部１６を利用して先の操作腕１３が倒伏自在に軸支してある。弾性脚１４が拡開変形するときの変形応力をより大きくして、弾性脚１４による縦壁４の挟持力を増強するために、上壁１５は下凹み状に湾曲させてある。
【００１８】
一対の弾性脚１４のうち、片方の弾性脚１４の内面上方に、クリップ本体１２の縦壁４に対する差込限界を規定するストッパー爪１７が内向きに折り曲げ形成してある。さらに、両弾性脚１４の差し込み始端寄りの幅方向２箇所に、クリップ１０の抜け出しを阻止するスパイク片１８が形成してある。ストッパー爪１７を形成することにより、その抜き跡に四角形状の開口２０が形成されるが、この開口２０を利用して線材１１を導出することにより、構造の無駄を省くことができる。また、ストッパー爪１７と上壁１５との間に、後述するエンド金具２４を収容するための空間Ｓを確保する。
【００１９】
スパイク片１８は上端が尖る三角形状に形成されて、斜め上向きに折り起こしてある。図１に示すようにクリップ１０を縦壁４に差し込み装着した状態においては、弾性脚１４の弾性力によってスパイク片１８が縦壁４に圧着され、両者間に大きな摩擦抵抗が生じるので、クリップ１０の抜け出しを阻止できる。操作腕１３は、鋼線を素材にして上下に引伸ばしたΩ字状に形成してあり、カール部１６で軸支される前後一対の軸体２１と、先端がリング状に丸めてある摘み部２２とを一体に備えている。図３に示すように操作腕１３は、軸体２１を中心にして弾性脚１４に沿って起立する姿勢と、弾性脚１４の下方へ突出する姿勢とに倒伏できる。
【００２０】
線材１１は撚り線ワイヤーからなり、その一端にかしめ固定した球形のエンド金具２４を介して、クリップ１０と接続してある。詳しくは、図３に示すように線材１１の一端部を開口２０から空間Ｓ内へ差し込み、さらにクリップ本体１２の側面開口から引き出した状態で、線材端部にエンド金具２４をかしめ固定する。かしめ処理したエンド金具２４は空間Ｓに収めておく。もちろん、予めエンド金具２４を線材１１の一端にかしめ固定しておくことができ、その場合には、線材１１をクリップ本体１２の側面開口の側から開口２０に通して、線材１１をクリップ本体１２に組む。エンド金具２４は銅合金で形成してあり、その直径寸法は開口２０の縦横の開口寸法より大きい。図１に示すように、線材１１の長さは、少なくとも線材１１をルーバー板８に巻き付けて輪奈にする長さがあればよいが、十分な余裕を含む長さにしておけば、例えば照明器具の交換や清掃等の保守作業時におけるルーバーパネル２の着脱を簡便に行える。
【００２１】
落下防止具は、図１に示す状態で使用する。操作腕１３を互いに接近する向きにつまんで弾性脚１４を拡開操作し、ストッパー爪１７が縦壁４の上端に接当する状態で操作腕１３を開放して、一対の弾性脚１４で縦壁４を挟持する。線材１１にかしめスリーブ２５を挿通した後、線材１１の遊端側をルーバー板８に巻き掛けて輪奈にし、輪奈端２６をかしめスリーブ２５に通した状態で、かしめスリーブ２５をペンチやプライヤー等の工具でかしめ処理する。これにより、ルーバーパネル２は線材１１を介してクリップ１０と接続され、たとえ、ルーバーパネル２がランナー枠１から脱落したとしても、ランナー枠１からぶら下がった状態で確保される。従ってルーバーパネル２の落下による歩行者の負傷や、物損を確実に解消できる。
【００２２】
上記のように、線材１１でルーバーパネル２を拘束すると、図２に示すように、１個の落下防止具をランナー枠１に装着するだけで、ルーバーパネル２の落下を防止できる。例えば地震によって、ルーバーパネル２に対して上向きの外力が作用する場合には、クリップ本体１２が縦壁４に沿って引き出されようとする。
しかし、スパイク片１８の摩擦抵抗によってクリップ本体１２の上方移動を抑止できる。繰り返し加えられる外力によってクリップ本体１２が徐々に上方移動したとしても、最終的に片方のスパイク片１８が縦壁４に設けたリブ７で受け止められるので、クリップ１０が脱落することはない。
【００２３】
図４は、クリップ１０の変形例を示す。そこでは、線材１１をクリップ本体１２に対して着脱できるようにした。そのために、クリップ本体１２の上壁１５に、エンド金具２４を出し入れするための穴２７を設け、線材１１を導出するための溝２８を、穴２７に連続して上壁１５から弾性脚１４の上部にわたって形成した。他は先の実施例と同じであるので、同じ部材に同じ符号を付してその説明を省略する。
【００２４】
上記以外に、線材１１としてはロープや金属線材、あるいはプラスチック被覆が施されたコードなどを使用することができる。クリップ本体１２はプラスチック成形品で形成することができ、必要があれば金属線材で形成してもよい。線材１１の端部に輪奈を形成しておき、この輪奈をクリップ本体１２に引っ掛けて線材１１を連結することができ、その場合にはエンド金具２４を省略できる。
【００２５】
クリップ本体１２および操作腕１３は、市販品をそのまま利用することができ、その場合にはストッパー爪１７やスパイク片１８を追加工して、クリップ本体１２とすることができる。操作腕１３は、金属板材で形成することができる。必要があれば、クリップ本体１２はベース壁３に挟持固定してもよい。ルーバー板８に貫通穴を設けておき、この貫通穴に線材１１を通して、ルーバーパネル２をクリップ本体１２と接続することができる。かしめスリーブ２５は、予め線材１１の中途部に固定しておくことができ、その場合には、輪奈端２６をかしめスリーブ２５に別途形成した貫通穴に挿通したうえで、貫通穴の周壁をかしめ処理して輪奈端２６を固定できる。断面Ｃ字状のかしめスリーブ２５を使用して輪奈端２６を固定することができる。
【図面の簡単な説明】
【図１】落下防止具の使用状態を示す断面図である。
【図２】ルーバー天井および落下防止具の斜視図である。
【図３】落下防止具の斜視図である。
【図４】クリップの変形例を示す斜視図である。
【図５】従来の落下防止具の斜視図である。
【符号の説明】
１　ランナー枠
２　ルーバーパネル
３　ベース壁
１０　クリップ
１１　線材
１２　クリップ本体
１３　操作腕
１４　弾性脚
１７　ストッパー爪
２４　エンド金具
２５　かしめスリーブ
Ｓ　空間
【図１】
2004076502.tif 000003
【図２】
2004076502.tif 000004
【図３】
2004076502.tif 000005
【図４】
2004076502.tif 000006
【図５】
2004076502.tif 000007